(57)【要約】【課題】冷却ユニットの機械室への設置作業及び機械室からの取り出し作業が簡単なショーケースの冷却ユニット設置構造を提供する。【解決手段】機械室３の前面から冷却ユニット４が収容されたショーケース１の冷却ユニット設置構造において、機械室３の底部には、冷却ユニット４が機械室４の天井部側に当たるよう、冷却ユニット４が機械室の中に入るに従って冷却ユニット４の後側底部を斜め上方に案内する傾斜部材３３を設けた構造となっている。これにより、冷却ユニット４を機械室３の前面から後面に向かって中に入れるとき、冷却ユニット４の後側底部が傾斜部材３３に案内され斜め上方に移動する。これにより、冷却ユニット４の後側上端が機械室４の天井部に当たり、冷却ユニット４の後端部が機械室３の天井部に固定される。【選択図】  図２
2004358017.tif 000002
【特許請求の範囲】
【請求項１】
機械室の前面から冷却ユニットが収容されたショーケースの冷却ユニット設置構造において、
前記機械室の底部には、前記冷却ユニットが該機械室の天井部側に当たるよう、該冷却ユニットが機械室の中に入るに従って該冷却ユニットの後側底部を斜め上方に案内する傾斜部を設けた
ことを特徴とするショーケースの冷却ユニット設置構造。
【請求項２】
機械室の前面から冷却ユニットが収容されたショーケースの冷却ユニット設置構造において、
前記機械室の側板内面及び前記冷却ユニットの側板外面には、該冷却ユニットが該機械室の天井部側に当たるよう、該冷却ユニットが機械室の中に入るに従って該冷却ユニットを斜め上方に案内する傾斜部を設けた
ことを特徴とするショーケースの冷却ユニット設置構造。
【請求項３】
前記冷却ユニットの前面には該冷却ユニットを前記機械室内に固定する固定金具を有する
ことを特徴とする請求項１又は請求項２記載のショーケースの冷却ユニット設置構造。
【発明の詳細な説明】
【０００１】
【発明の属する技術分野】
本発明は、冷却ユニットを機械室に出し入れ自在に設置するショーケースの冷却ユニット設置構造に関するものである。
【０００２】
【従来の技術】
スーパーマーケット等の店舗に設置された冷却用のショーケースは、商品が収納されたケース本体と、ケース本体の下方に設置された機械室とを備えており、機械室に設置された圧縮機、凝縮器、凝縮器用ファン等の冷却機器によりケース本体内が保冷される（特許文献１を参照）。
【０００３】
また、各冷却機器の設置構造として各冷却機器を個別に機械室に設置する構造となっているものもあるが、メンテナンスする際に機械室から各冷却機器を容易に取り出すことができるよう、各冷却機器を一体に集合させてユニット化したものも提案されている。
【０００４】
後者の冷却ユニットを機械室に設置するときは、機械室の前面開口から冷却ユニットを押し入れ、機械室内に冷却ユニットを収容する。しかる後、冷却ユニットの前面と後面を引っ掛け金具を用いてケース本体に係止する。これにより、冷却ユニットが機械室に固定される。
【０００５】
【特許文献１】
特開平１１−２８１２３１号公報
【０００６】
【発明が解決しよとする課題】
ところで、後者の冷却ユニット設置構造が採用されたショーケースにおいて、冷却ユニットをメンテナンスするときは、次のような作業を行う。
【０００７】
まず、冷却ユニットの前面側の引っ掛け金具を外し、次いで、機械室の後方に回り込んで後面側の引っ掛け金具を外す。しかる後、冷却ユニット全体を機械室の前面開口から引き出し、冷却ユニットを点検、修理する。
【０００８】
しかしながら、これでは、冷却ユニットをメンテナンスする度にショーケース全体を動かし、機械室の後面（店舗の側面壁側）に作業スペースを確保する必要があり、メンテナンスの際、ショーケースの移動作業という面倒な作業が伴っていた。
【０００９】
本発明の目的は前記従来の問題点に鑑み、冷却ユニットの機械室への設置作業及び機械室からの取り出し作業が簡単なショーケースの冷却ユニット設置構造を提供することにある。
【００１０】
【課題を解決するための手段】
本発明は前記課題を解決するため、請求項１の発明は、機械室の前面から冷却ユニットが収容されたショーケースの冷却ユニット設置構造において、機械室の底部には、冷却ユニットが機械室の天井部側に当たるよう、冷却ユニットが機械室の中に入るに従って冷却ユニットの後側底部を斜め上方に案内する傾斜部を設けた構造となっている。
【００１１】
請求項１の発明によれば、冷却ユニットを機械室の前面から後面に向かって中に入れるとき、冷却ユニットの後側底部が傾斜部に案内され斜め上方に移動する。これにより、冷却ユニットの後側上端が機械室の天井部に当たり、冷却ユニットの後端部が機械室の天井部に固定される。
【００１２】
請求項２の発明は、機械室の前面から冷却ユニットが収容されたショーケースの冷却ユニット設置構造において、機械室の側板内面及び冷却ユニットの側板外面には、冷却ユニットが機械室の天井部側に当たるよう、冷却ユニットが機械室の中に入るに従って冷却ユニットを斜め上方に案内する傾斜部を設けた構造となっている。
【００１３】
請求項２の発明によれば、冷却ユニットを機械室の前面から後面に向かって中に入れるとき、冷却ユニットが傾斜部に沿って案内され斜め上方に移動する。これにより、冷却ユニットが機械室の天井部側に当たり、冷却ユニットの上端が機械室の天井部側に固定される。
【００１４】
なお、請求項３の発明の如く、冷却ユニットの前面を固定金具で固定するようにしてもよい。
【００１５】
【発明の実施の形態】
図１乃至図３は本発明に係るショーケースの冷却ユニット設置構造の第１実施形態を示すもので、図１は機械室の前面を開放したショーケースの正面図、図２は冷却ユニットの設置構造を示す斜視図、図３は冷却ユニットの設置構造を示す断面図である。
【００１６】
第１実施形態に係るショーケース１は、商品を収納したケース本体２と、ケース本体２の下方に設けられた機械室３とを有している。機械室３は、図２に示すように、底板３１と、底板３１の両側から上方に延在された側板３２とを有している。また、底板３１の後側には横方向に延在された傾斜部材３３が設置されている。傾斜部材３３は図３に示すように断面三角形状となっており、傾斜部材３３の上面が後方に向かうに従って高くなるよう傾斜している。なお、機械室３の前後の開口は図示しない機械室カバーにより覆われている。
【００１７】
このように構成された機械室３にはケース本体２内を冷却する冷却ユニット４が設置されている。冷却ユニット４の幅寸法は機械室３とほぼ同様の寸法で、また、冷却ユニット４の上下寸法は機械室３の上下寸法より多少小さくなっている。冷却ユニット４は、ユニットケース４１と、ユニットケース４１に設置された冷却機器４２とからなる。冷却機器４２は、圧縮機４２１、電装機器４２２、蒸発器４２３、図示しない凝縮器、凝縮器用ファン等の冷却機器が一体化されている。また、ユニットケース４１の前面側上部には引っ掛け金具４３を設けており、この引っ掛け金具４３をケース本体４１に係止し、冷却ユニット４を機械室３に固定するようになっている。
【００１８】
本実施形態に係る冷却ユニット設置構造において、冷却ユニット４を機械室３に設置する際は次のような作業を行う。まず、機械室３の前面の機械室カバーを外し、機械室３の前面開口３ａを開口する。次いで、図３に示すように、冷却ユニット４を前面開口３ａを通じて機械室３内に入れる。機械室３内に入った冷却ユニット４はその途中で傾斜部材３３の上面に当たる。その後、冷却ユニット４を機械室３の後方に向かって移動するに従って冷却ユニット４の後側底部が上方に案内され、冷却ユニット４の上端が機械室３の天井部（ケース本体２の底壁２１）に当たり、冷却ユニット４が機械室３内に固定される。しかる後、引っ掛け金具４３をケース本体２に係止し、冷却ユニット４を機械室３に確実に固定する。
【００１９】
本実施形態によれば、機械室３内に設置された冷却ユニット４は、その後側上端が機械室３の天井部に圧接されるため、冷却ユニット４の後端側を固定する固定部材が不要となる。
【００２０】
従って、冷却ユニット４を機械室３に設置する際、ショーケース１の裏側に回って冷却ユニット４を固定したり、或いは、固定を解除する必要がなく、冷却ユニットのメンテナンス作業が簡単になる。
【００２１】
なお、冷却ユニット４を機械室３から引き出すときは、前述の設置作業と逆の作業を行えばよい。
【００２２】
図４及び図５は本発明に係るショーケースの冷却ユニット設置構造の第２実施形態を示すものである。なお、前記第１実施形態と同一構成部分は同一符号を用いて表す。
【００２３】
即ち、本実施形態は、図４に示すように、機械室３の側板３２の内面には第１傾斜部材３２１を形成する一方、ユニットケース４１の側板４１１の外面には第２傾斜部材４１２を形成している。なお、図４及び図５では第１及び第２傾斜部材３２１，４１２がそれぞれ一つのみ図示されているが、２つの側板３２及び２つの側板４１１にそれぞれ形成されていることはいうまでもない。
【００２４】
第１傾斜部材３２１は側板３２の内面に板状に張り出して形成されたものである。また、第１傾斜部材３２１の上端面は、手前側から後方に向かって徐々に高くなるよう形成した前傾斜面３２１ａと、前傾斜面３２１ａの上端から後方に向かって水平に形成した中間水平面３２１ｂと、中間水平面３２１ｂの後端から後方に向かって徐々に高くなるよう形成した後傾斜面３２１ｃとから構成されている。
【００２５】
第２傾斜部材４１２は側板４１１の外面に板状に張り出して形成されたものである。また、第２傾斜部材４１２の下端面は、手前側から後方に向かって徐々に高くなるよう形成した前傾斜面４１２ａと、前傾斜面４１２ａの上端から後方に向かって水平に形成した中間水平面４１２ｂと、中間水平面４１２ｂの後端から後方に向かって徐々に高くなるよう形成した後傾斜面４１２ｃとから構成されている。
【００２６】
ここで、前傾斜面３２１ａは前傾斜面４１２ａに対応し、中間水平面３２１ｂは中間水平面４１２ｂに対応し、後傾斜面３２１ｃは後傾斜面４１２ｃに対応しており、それぞれ対応する傾斜面の傾斜角度等がほぼ一致するように形成されている。
【００２７】
本実施形態に係る冷却ユニット設置構造において、冷却ユニット４を設置するときは次のような作業を行う。まず、機械室３の前面の機械室カバーを外し、機械室３の前面開口３ａを開口する。次いで、図５に示すように、冷却ユニット４を前面開口３ａを通じて機械室３内に入れる。機械室３内に入った冷却ユニット４はその途中で前傾斜面３２１ａが前傾斜面４１２ａに当たり、中間水平面３２１ｂが中間水平面４１２ｂに当たり、後傾斜面３２１ｃが後傾斜面４１２ｃに当たる。そして、冷却ユニット４を機械室３の後方に向かって移動するに従って、冷却ユニット４の傾斜面４１２ａ，４１２ｃが傾斜面３２１ａ，３２１ｃで案内され、更には、冷却ユニット４の上端が機械室３の天井部に当たり、冷却ユニット４が機械室３内に固定される。しかる後、引っ掛け金具４３をケース本体２に係止し、冷却ユニット４を機械室３に確実に固定する。
【００２８】
本実施形態によれば、機械室３内に設置された冷却ユニット４は、その上端が機械室３の天井部に圧接されるため、前記第１実施形態と同様に、冷却ユニット４の後端側を固定する部材が不要となり、メンテナンス作業が簡単になる。
【００２９】
【発明の効果】
以上説明したように、本発明によれば、機械室内に冷却ユニットを設置する際、冷却ユニットの上端側が機械室の天井部側に圧接されるため、冷却ユニットの後端側の固定部材が不要となり、メンテナンス作業が簡単になるという利点を有する。
【図面の簡単な説明】
【図１】機械室の前面を開放したショーケースの正面図
【図２】第１実施形態に係る冷却ユニットの設置構造を示す斜視図
【図３】第１実施形態に係る冷却ユニットの設置構造を示す断面図
【図４】第２実施形態に係る冷却ユニットの設置構造を示す斜視図
【図５】第２実施形態に係る冷却ユニットの設置構造を示す断面図
【符号の説明】
１…ショーケース、２…ケース本体、３…機械室、４…冷却ユニット、３２…機械室の側板、３３…傾斜部材、４３…引っ掛け金具、３２１…第１傾斜部材、４１１…冷却ユニットの側板、４１２…第２傾斜部材。
【図１】
2004358017.tif 000003
【図２】
2004358017.tif 000004
【図３】
2004358017.tif 000005
【図４】
2004358017.tif 000006
【図５】
2004358017.tif 000007